(57)【要約】【課題】  靴、ストッキング等の装身体を着衣したままでもほぼワンタッチで着脱でき、簡便であり、ストッキングを傷めたり、締めつけ跡を残したりすることがない冷気避けソックス、保温用ソックス、虫除け用ソンクスを提供する。【解決手段】  少なくとも足裏を除いて足から脚部に至りさらに膝上までのうち少なくとも脚部の下端部までの被着体を直接又は靴や靴下等の装身体を介して間接に覆う内部空間の伸縮性がゴムを用いた場合より緩慢であるソックスであって、不使用時は縦横に折り畳み自在であり、使用時にはその折り畳み状態から拡張して上下両端開口の細長空洞状体を形成して上記被着体を挿脱自在とし、該被着体を挿入し着衣した状態では上記内部空間の伸縮性による弾力が被着体の着衣したストッキングに押圧による跡を残さないようなソフトタッチの弾力であり、この弾力と生地の保形性の少なくとも一方により着衣状態が保持されるソックス。【選択図】  図１
0003115393.tif 000002
【実用新案登録請求の範囲】
【請求項１】
少なくとも足裏を除いて足から脚部に至りさらに膝上までのうち少なくとも脚部の下端部までの被着体を直接又は靴や靴下等の装身体を介して間接に覆うソックスであって、不使用時は縦横に折り畳み自在であり、使用時にはその折り畳み状態から拡張して上下両端開口の細長空洞状体を形成して上記被着体を挿脱自在とし、該被着体を挿入し着衣した状態では生地の伸縮性による弾力と生地の保形性の少なくとも一方により着衣状態が保持されるソックス。
【請求項２】
少なくとも足裏を除いて足から脚部に至りさらに膝上までのうち少なくとも脚部の下端部までの被着体を直接又は靴や靴下等の装身体を介して間接に覆う、ゴムを用いた場合より伸縮性の弱いソックスであって、不使用時は縦横に折り畳み自在であり、使用時にはその折り畳み状態から拡張して上下両端開口の細長空洞状体を形成して上記被着体を挿脱自在とし、該被着体を挿入しゆるく着衣した状態では上記の伸縮性による弾力が被着体が履いたストッキングに押圧による跡を残さないようなソフトタッチの弾力であり、この弾力と生地の保形性の少なくとも一方により着衣状態が保持されるソックス。    
【請求項３】
足裏を除いて足から脚部に至りさらに膝え上までのうち少なくとも脚部の下端部までの被着体に合わせた型紙に沿って伸縮性のある生地を裁断して細長状の型取り片を形成し、該型取り片の両側縁を接合して得られる請求項１又は２に記載のソックス。
【請求項４】
上端縁には縦方向の切り込みが設けられて該上端縁は拡張自在かつ内外に折り返し自在である請求項１ないし３のいずれかに記載のソックス。
【請求項５】
生地はフリース生地である請求項１ないし４のいずれかに記載のソックス。
【請求項６】
生地は不織布又は紙であり、使い捨て用に作られた請求項１ないし４のいずれかに記載のソックス。
【請求項７】
細長空洞状体の一部には蛇腹構造を設けた請求項１ないし６のいずれかに記載のソックス。
【請求項８】
冷房等の冷気を避ける冷気避け用ソックス、保温用ソックス又は蚊等の虫避け用ソックスである請求項１ないし７のいずれかに記載のソックス。
【考案の詳細な説明】
【技術分野】
【０００１】
本考案は、例えば夏期室内冷房時に冷気により特に女性にとって足元が冷え過ぎるのを防止する冷気避け用ソックス、冬期の保温用ソックス、蚊等の虫避け用ソックスに関する。
【背景技術】
【０００２】
夏期には室内冷房が行われ、冬期には外気が冷え、また、自然環境、特に山野に身を置くときは、蚊等の虫に噛まれることがある。特に、女性や子供では、スカートを履いたり、足が露出するうよな軽快な服装が好まれたりするので、このような場合に、例えば女性の場合、ストッキング（バンティストッキンギ等）を履き、靴や上履きを履くこともおこなわれているが、長時間机に座るような場合には、冷房が効き過ぎて足元が冷え過ぎるということがあり、体によくないのみならず、病気になったり、病気を誘発することにもなりかねないことがある。また、冬期でも暖房できない場合や、局所的に暖房が行き渡らない場合など、あるいは外気に触れるような場合には、冬用の服装をしても、特に足元が温まらなかったり、冷えたりするということがあり、暖房をしても足元が温まり難いということはしばしば見られる。また、露出する足は女性用のストッキングでは、特に夏期山野に身を置くときは、蚊等の虫に刺されたりすることがあり、簡単にその防止をすることが望まれる。
【考案の開示】
【考案が解決しようとする課題】
【０００３】
このような状況のなかで、脚足部の防寒機能とファッション機能を備えたカバー体が知られている（実用新案登録第３０８２９６０号公報）が、これは靴を履いた状態で足の付け根を細長片で覆い、その両端に設けた面ファスナーにより連結固定するものである。また、ズボンの裾が濡れないようにしたカバーも提案されている（実用新案登録第３０６０８２０号公報）が、これは脚部にカバーを巻いてその両側をホック掛けにより留めるものである。また、脚部に巻いたカバーを紐で締めつける靴用スパッツも知られている（実用新案登録第３０４９３７１号公報）。
しかしながら、面ファスナーを使用するものは、面ファスナーは一対の部材を互いに接触させて互いの突起を係合させて接合するものであるが、その接触を整合して行うことは難しくずれるとその部材に設けられた突起が女性用のストッキングに引っ掛かり、無理に引っ張るストッキングを損傷し、美観を害するのみならず、使い物にならないようにすることがある。また、ホック掛けをするものも使い方が面倒であり、ものものしい感じがする。また、紐で締めつけるものは、その締めつけた跡が女性用のストッキングに残り、脚部からカバーを外して他人の面前に出るときなど、その跡が消えずに、美観を害するという問題がある。
【特許文献１】実用新案登録第３０８２９６０号公報
【特許文献２】実用新案登録第３０６０８２０号公報
【特許文献３】実用新案登録第３０４９３７１号公報
【課題を解決するための手段】
【０００４】
本考案者は、上記課題を解決するために鋭意研究した結果、フリース生地を使用して上下両端開口のソックスを作製すると、靴や靴下を履いたままでもほぼワンタッチで着衣したり脱いだりでき、その着衣状態がルーズ（緩い）であってもその生地の伸縮性による弾力と保形性によって着衣状態を維持でき、特に長時間座ったままのように動くことが少なくて、冷房等による冷気にさらされる場合には簡便に使用できることを見出し、本発明をするに至った。
したがって、本考案は、（１）、少なくとも足裏を除いて足から脚部に至りさらに膝上までのうち少なくとも脚部の下端部までの被着体を直接又は靴や靴下等の装身体を介して間接に覆うソックスであって、不使用時は縦横に折り畳み自在であり、使用時にはその折り畳み状態から拡張して上下両端開口の細長空洞状体を形成して上記被着体を挿脱自在とし、該被着体を挿入し着衣した状態では生地の伸縮性による弾力と生地の保形性の少なくとも一方により着衣状態が保持されるソックスを提供するものである。
また、本考案は、（２）、少なくとも足裏を除いて足から脚部に至りさらに膝上までのうち少なくとも脚部の下端部までの被着体を直接又は靴や靴下等の装身体を介して間接に覆う、ゴムを用いた場合より伸縮性の弱いソックスであって、不使用時は縦横に折り畳み自在であり、使用時にはその折り畳み状態から拡張して上下両端開口の細長空洞状体を形成して上記被着体を挿脱自在とし、該被着体を挿入しゆるく着衣した状態では上記の伸縮性による弾力が被着体が履いたストッキングに押圧による跡を残さないようなソフトタッチの弾力であり、この弾力と生地の保形性の少なくとも一方により着衣状態が保持されるソックス、（３）、足裏を除いて足から脚部に至りさらに膝え上までのうち少なくとも脚部の下端部までの被着体に合わせた型紙に沿って伸縮性のある生地を裁断して細長状の型取り片を形成し、該型取り片の両側縁を接合して得られる上記（１）又は（２）のソックス、（４）、上端縁には縦方向の切り込みが設けられて該上端縁は拡張自在かつ内外に折り返し自在である上記（１）ないし（３）のいずれかのソックス、（５）、生地はフリース生地である上記（１）ないし（４）のいずれかのソックス、（６）、生地は不織布、紙又はブラスチックシートであり、使い捨て用に作られた上記（１）ないし（４）のいずれかのソックス、（７）、細長空洞状体の一部には蛇腹構造を設けた上記（１）ないし（６）のいずれかのソックス、（８）、冷房等の冷気を避ける冷気避け用ソックス、保温用ソックス又は蚊等の虫避け用ソックスである上記（１）ないし（７）のいずれかのソックスを提供するものである。
【考案の効果】
【０００５】
本考案によれば、生地の伸縮性による弾力と生地の保形性のいずれか一方又は両方により着衣状態を維持できるようにしたソックスを提供することができるので、靴や靴下を履いたままでもほぼワンタッチで、しかも片手で着衣したり脱いだりできるとともに、着衣状態の維持も被着体を傷つけたり、押圧による跡を残さず被着体に優しく、しかも簡便であるので、面ファスナーを使用したり、ホックを掛けたり、紐による締めつけを行う場合のように、被着体やその装身具を傷つけたり、美観を害したり、取扱が面倒であったりすることがないようにできる。
このようにして、例えば室内冷房時に冷気により特に女性にとって足元が冷え過ぎるのを防止する冷気避け用ソックスや、冬期の保温用ソックス、蚊等の虫避け用ソックスを提供することができる。  
【考案を実施するための最良の形態】
【０００６】
生地の伸縮性による弾力をソフトタッチの弾力にするためフリース生地等を用いたり、蛇腹構造を採り入れ、これらの伸縮性によるソフトタッチの弾力によりソックスの着衣状態を維持するとともに、被着体に対する着脱はその挿脱に余裕のある細長空洞状に形成する。
【実施例１】
【０００７】
次に図面に基づいて本考案の実施例を説明する。
図１、２に示すように、１はソックスであり、このソックスは靴（上履き、サンダル、下駄、草履等でもよい）２を履いた靴下（ストッキング）３を着衣した脚足（足首の上下の足と脚の連続体）４の足裏に対応する靴底を除いた靴２の上側及び靴下（ストッキング）３を着衣した脚足４を覆っている。なお、靴や靴下等の装身体（装身具）を装身しない脚足（素脚足）４を覆う場合でもよく、靴下の上にズボンをはき、その上を覆うようにしてもよい。
ソックス１は、フリース生地等を、脚足４の足裏を除いた足から脚部に到りさらに膝上までのうち少なくとも脚部の下端部まで、すなわち最長膝上までであるが、最短でも脚部の下端部までの被着体について作製した型紙に合わせ裁断して、細長状の型取り片を形成し、その両側縁を上端部を残して縫合、接着剤によるり接着等により接合したものである。図２の５はその縫合した合わせ目の線である。
このようにして、上下両端を開口した細長空洞状体（細長筒状体）６が形成され、その上端縁に上記の縫い残しや、未接着により上端側を開放した切り込み７が形成され、上端縁片７ａを有するソックス１が得られる。切り込み７は生地の切りっ放しでもよく、上端縁を含めて縁取りがされていてもよい。なお、７ｂは先端に剛直性を持たせて、形を維持し易くしたり、ほぐれたり、まくれ難いように設けた縫い目（当片を縫合、接着させてもよい）であり、７ｃは足の甲部分にフィット（適合）するように、丸みを設けたものである。
【０００８】
フリース生地はジャンパーの服地としてよく使用されているが、毛繊維又はポリエステル繊維による布で、両面が起毛されたものであり、伸縮性があり、数ｍｍ厚さのものは、作られた形を維持する保形性があり、例えば筒状のものを平面に立てるとその形が維持され、容易にはへたらず、崩れない。
このフリース生地等を用いて得られるソックス１は、不使用時は縦横に折り畳み可能であり、使用時はその折り畳み状態から拡張し、内部に空間を設け、そこに靴２を履いた靴下（ストッキング）３を着衣した脚足４の被着体を挿入することができ、また、そこから脱がすことができるが、その伸縮性は、その生地の性質により、例えばゴムを用いて伸縮するよりは弱く、これにより着衣状態ではソックス１は被着体にはソフトタッチの弾力で保持され、部分的にせよゴムを用いた場合のように靴下３、特にストッキングに締めつけた跡が付くようなことはない。
ソックス１は、脚足４の太さに対応できるように、内部空間は大きめになるように作られ、ルーズ（緩く）に着衣された場合でも、被着体には部分的なソフトタッチの弾力と生地の保形性によって着衣状態は維持される（どちらか一方だけでもよい場合もある）が、上端縁片７ａを内側に折り返して被着体との隙間を埋め、着衣状態の保持をより確実にしてもよい。その必要がないときは上端縁片７ａを外側に折り返してもよく、そのままにしてもよい。上端縁片７ａは上側に拡開できるので、被着体を挿入する案内に使用することができ、また、脚部の太い場合にも対応できる。
【０００９】
フリース生地の代わりに、毛布、編物、ニット、ジャージ、皮革等を用いてもよいが、不織布や紙（天然繊維、合成繊維、混抄のいずれでもよい）、プラスチックシートを用いてもよく、また、これらやその他の材料の複合材でもよく、いずれも表面が起毛されているものが保温性、ソフトタッチ性等の点で好ましい。これらのうち不織布等の生地は安価であり、使い捨て用のソックスを得たい場合に好ましい。これらの生地ではフリース生地より伸縮性に乏しい場合には、上端縁片７ａを内側に折り曲げて使用し保持力を確保することが有効な場合があるが、フリース生地を用いた場合でも、図３に示すように、蛇腹構造８を図面で見える側を内側にして細長空洞状体６の一部の周側の一部又は全部に設けてもよい。蛇腹構造８は被着体に押圧されると突条部は変形し、内部空間を大きくでき、被着体に弾力で保持されるが、ソフトタッチの弾力にすることができる。
【００１０】
図１、２に示すように、ソックス１を着衣した状態では、室内冷房等による冷気に足元がさらされても、ソックス１により冷気避けをすることができ、冬期には足を保温することができ、また、夏期に山野に身を置くような場合も、蚊等の虫避けをすることができる。
【図面の簡単な説明】
【００１１】
【図１】本考案の一実施例のソックスの使用状態の側面斜視説明図である。
【図２】その正面斜視説明図である。
【図３】本考案のソックスに利用できる蛇腹構造を示す斜視説明図である。
【符号の説明】
【００１２】
１  ソックス
２  靴
３  靴下（ストッキング）
４  脚足
６  細長空洞状体
７  切り込み
７ａ  上端縁片
８  蛇腹構造
【図１】
0003115393.tif 000003
【図２】
0003115393.tif 000004
【図３】
0003115393.tif 000005